(57)【要約】【課題】一段と容易にガイドの位置を変更できるようにする。【解決手段】左サイドガイド２２と右サイドガイド２３のアーム４３を内側に曲げることで、これらの上下方向の固定を解除し、さらにこれらを上方に持ち上げて左右方向の位置を変更することでこれらの間隔を調整した後、これらを下方に降ろしてアーム４３を元の形状に戻すことで、これらを再び固定するようにした。こうすることで、別途ネジなどの固定具を必要とせず、簡易な作業で、両サイドガイド２２、２３の間隔を調整できる。【選択図】図３
2014115879.tif 000002
【特許請求の範囲】
【請求項１】
媒体を収容する収容部と、
上記収容部に設けられ、上記収容部に収容される媒体をガイドするガイドと
を有し、
上記ガイドは、
上記収容部と係合することで当該ガイドの位置が固定される弾性変形可能な係合部を有し、当該係合部を変形させて上記収容部との係合が解除されることで位置の変更が可能となり、変形させた当該係合部を元の形状に戻すことで再び位置が固定される
媒体処理装置。
【請求項２】
上記係合部は、
上記収容部と係合することで上記ガイドの位置を固定する第１の係合部と、
弾性変形可能であり、上記収容部と係合することで、上記第１の係合部と上記収容部との係合を維持する第２の係合部とでなり、
上記第２の係合部を変形させて当該第２の係合部と上記収容部との係合が解除されることで、上記第１の係合部と上記収容部との係合を解除することが可能となり、
さらに上記第１の係合部と上記収容部との係合を解除することで、上記ガイドの位置の変更が可能となる
請求項１に記載の媒体処理装置。
【請求項３】
上記第１の係合部は、
上記収容部に対して上記ガイドを所定方向へ移動させることで、上記収容部との係合を解除できるようになっていて、
上記第２の係合部は、
上記ガイドの上記所定方向への位置を固定することにより、上記第１の係合部と上記収容部との係合を維持する
請求項２に記載の媒体処理装置。
【請求項４】
上記ガイドは、
上記収容部の一端側と他端側に設けられ、それぞれの間に上記媒体が収容されるよう上記媒体をガイドする
請求項３に記載の媒体処理装置。
【請求項５】
上記一端側のガイドと他端側のガイドは、
上記第１の係合部と上記収容部との係合を解除することで、互いの間隔を狭める方向及び広げる方向に位置の変更が可能となる
請求項４に記載の媒体処理装置。
【請求項６】
上記一端側のガイドと他端側のガイドの間に、当該一端側のガイドと他端側のガイドの間に収容された媒体を押圧する媒体プレス部が設けられ、
上記媒体プレス部は、
上記一端側のガイドと他端側のガイドの間隔に合わせて、一端側から他端側までの幅を調整可能となっている
請求項５に記載の媒体処理装置。
【請求項７】
上記媒体プレス部は、
一端側の側面及び他端側の側面に、当該側面からの突出量を変更可能な幅調整部が設けられていて、上記一端側の側面及び他端側の側面からの上記幅調整部の突出量を変更することで、一端側から他端側までの幅が調整される
請求項６に記載の媒体処理装置。
【請求項８】
上記一端側のガイドと他端側のガイドは、
上記第１の係合部及び第２の係合部と上記収容部のフレームが係合することにより、当該フレームに固定される
請求項４に記載の媒体処理装置。
【請求項９】
上記一端側のガイドと他端側のガイドは、
上記収容部のフレームと入れ子構造になっている
請求項８に記載の媒体処理装置。
【発明の詳細な説明】
【技術分野】
【０００１】
本発明は、媒体処理装置に関し、例えば、媒体として紙幣を扱う紙幣処理装置に適用して好適なものである。
【背景技術】
【０００２】
従来、紙幣処理装置は、入金取引時に、投入された紙幣を１枚ずつ分離して装置内へと取り込む入金部を有している（例えば特許文献１参照）。
【０００３】
ここで、このような入金部の具体例を、図２０及び図２１に示す。この図２０及び図２１に示す入金部２００は、上部ユニット２０１と下部ユニット２０２との２ユニット構成となっている。
【０００４】
上部ユニット２０１は、上面に開口が設けられた箱型の収容部２０３を有し、この収容部２０３の開口が紙幣の投入口２０３Ａとなっている。
【０００５】
さらに収容部２０３内には、その後壁にプールガイド２０４（図２１）が固定されていて、さらにこのプールガイド２０４と平行な状態で収容部２０３内を前後方向にスライド可能なビルプレス２０５が設けられている。
【０００６】
さらに収容部２０３内には、左壁側と右壁側とにそれぞれ左サイドガイド２０６Ａ及び右サイドガイド２０６Ｂが設けられている。
【０００７】
上部ユニット２０１は、図２１に示すように、これらプールガイド２０４、ビルプレス２０５、両サイドガイド２０６Ａ、２０６Ｂと、収容部２０３の底面２０３Ｂとに囲まれた領域（これを紙幣収容領域とも呼ぶ）Ａｒ１０に紙幣ＢＬが投入されるようになっている。
【０００８】
このとき、紙幣は、長手方向を左右方向、短手方向を上下方向に向けた姿勢で投入され、紙幣収容領域Ａｒ１０内に起立した状態で収容されるようになっている。
【０００９】
さらに、収容部２０３の底面２０３Ｂには、プールガイド２０４の下に、紙幣収容領域Ａｒ１０に投入された紙幣の取込口２０３Ｃが設けられている。この取込口２０３Ｃは、下部ユニット２０２と繋がっている。
【００１０】
実際、上部ユニット２０１は、投入口２０３Ａから投入された紙幣ＢＬを、紙幣収容領域Ａｒ１０内に収容すると、ビルプレス２０５をプールガイド２０４へと近づけるようにスライドさせる。これにより、上部ユニット２０１は、紙幣ＢＬをプールガイド２０４に押し付けるようにして、プールガイド２０４とビルプレス２０５との間で挟持する。
【００１１】
ここで、プールガイド２０４は、そのガイド面から、図示しないピックアップローラの一部が突出するようになっていて、プールガイド２０４に押し付けられた紙幣ＢＬは、このピックアップローラが回転することにより、１枚ずつ分離させられて下方の取込口２０３Ｃへと繰り出され、この取込口２０３Ｃから下部ユニット２０２内に取り込まれる。
【００１２】
このようにして、入金部２００は、入金される紙幣を１枚ずつ取り込んでいくようになっている。
【先行技術文献】
【特許文献】
【００１３】
【特許文献１】特開２００９−９８８２５公報
【発明の概要】
【発明が解決しようとする課題】
【００１４】
また、従来の入金部２００では、大きさの異なる種々の紙幣に対応できるよう、両サイドガイド２０６Ａ、２０６Ｂの位置を変更することで間隔を調整できるようになっている。
【００１５】
具体的に、左サイドガイド２０６Ａは、その前側の面（すなわち前面）に前方に突出する突起部２０７が設けられ、また後側の面（すなわち後面）にもこの突起部２０７が設けられている。
【００１６】
同様にして、右サイドガイド２０６Ｂにも、前面と後面に突起部２０７が設けられている。
【００１７】
一方、収容部２０３には、左サイドガイド２０６Ａの前面と対向する位置に、左右方向に所定の間隔を隔てて２本の溝２０８が設けられ、また左サイドガイド２０６Ａの後面と対向する位置にも、所定の間隔を隔てて２本の溝２０８が設けられている。
【００１８】
尚、ここでは、２本の溝２０８のうち、内側の溝２０８を内側溝２０８Ａと呼び、外側の溝２０８を外側溝２０８Ｂと呼ぶ。
【００１９】
同様にして、収容部２０３には、右サイドガイド２０６Ｂの前面及び後面と対向する位置にも、それぞれ左右方向に所定の間隔を隔てて２本の内側溝２０８Ａ及び外側溝２０８Ｂが設けられている。
【００２０】
ここで、両サイドガイド２０６Ａ、２０６Ｂの間隔を狭くする場合には、両サイドガイド２０６Ａ、２０６Ｂの突起部２０７を、収容部２０３の内側溝２０８Ａに嵌合させる。
【００２１】
一方で、両サイドガイド２０６Ａ、２０６Ｂの間隔を広くする場合には、両サイドガイド２０６Ａ、２０６Ｂの突起部２０７を、収容部２０３の外側溝２０８Ｂに嵌合させる。
【００２２】
従来の入金部２００は、このようにして両サイドガイド２０６Ａ、２０６Ｂの位置を変更することで、両サイドガイド２０６Ａ、２０６Ｂの間隔を調整できるようになっている。
【００２３】
さらに、この入金部２００では、衝撃などによって両サイドガイド２０６Ａ、２０６Ｂが収容部２０３から簡単に外れてしまうことを防ぐために、両サイドガイド２０６Ａ、２０６Ｂをネジなどの固定具を用いて、それぞれ収容部２０３に固定するようになっている。
【００２４】
しかしながら、このように固定具で固定する場合、例えば、この固定具を無くすと、両サイドガイド２０６Ａ、２０６Ｂを固定できなくなってしまうことになり、この場合、固定具を別途取り寄せたり、上部ユニット２０１を工場に戻したりしなければならず、手間がかかってしまう。
【００２５】
また、このように固定具で固定する場合、両サイドガイド２０６Ａ、２０６Ｂの位置の固定及び固定の解除に、ドライバーなどの専用の工具が必要であり、両サイドガイド２０６Ａ、２０６Ｂの位置を変更する作業が面倒となってしまう。
【００２６】
本発明は以上の点を考慮したもので、一段と容易にガイドの位置を変更できる媒体処理装置を提案しようとするものである。
【課題を解決するための手段】
【００２７】
かかる課題を解決するため本発明の媒体処理装置においては、媒体を収容する収容部と、収容部に設けられ、収容部に収容される媒体をガイドするガイドとを有し、ガイドが、収容部と係合することで当該ガイドの位置が固定される弾性変形可能な係合部を有し、当該係合部を変形させて収容部との係合が解除されることで位置の変更が可能となり、変形させた当該係合部を元の形状に戻すことで再び位置が固定されるようにした。
【００２８】
こうすることで、ガイドの位置を変えるときに、ガイドに設けられた係合部を変形させて元に戻すだけの簡易な作業でガイドの位置の固定解除及び再固定を行うことができるので、別途ネジなどの固定具を必要とせず、簡易な作業で、ガイドの位置を変更して固定できる。
【発明の効果】
【００２９】
本発明によれば、別途ネジなどの固定具を必要とせず、簡易な作業で、両側のガイドの位置を変更して固定でき、かくして従来と比して一段と容易にガイドの位置を変更できる媒体処理装置を実現できる。
【図面の簡単な説明】
【００３０】
【図１】紙幣処理装置の外観構成を示す略線図である。
【図２】紙幣処理装置の内部構成を示す略線図である。
【図３】入金部の構成（１）を示す略線図である。
【図４】入金部の構成（２）を示す略線図である。
【図５】入金部の構成（３）を示す略線図である。
【図６】入金部の構成（４）を示す略線図である。
【図７】サイドガイド調整機構の構成（１）を示す略線図である。
【図８】サイドガイド調整機構の構成（２）を示す略線図である。
【図９】前端部の構成を示す略線図である。
【図１０】サイドガイドの構成を示す略線図である。
【図１１】第１の実施の形態におけるアームを折り曲げた様子を示す略線図である。
【図１２】アームを内側に曲げてサイドガイドを上方に移動させた様子を示す略線図である。
【図１３】両サイドガイドの間隔の調整の説明にともなう略線図である。
【図１４】幅調整機構の構成（図７のＡ−Ａ断面）を示す略線図である。
【図１５】従来のビルプレスの構成を示す略線図である。
【図１６】第２の実施の形態におけるサイドガイド及びフレームの構成（１）を示す略線図である。
【図１７】第２の実施の形態におけるサイドガイド及びフレームの構成（２）を示す略線図である。
【図１８】第２の実施の形態におけるアームを折り曲げた様子を示す略線図である。
【図１９】他の実施の形態におけるサイドガイド及びフレームの構成を示す略線図である。
【図２０】従来の入金部の構成（１）を示す略線図である。
【図２１】従来の入金部の構成（２）を示す略線図である。
【発明を実施するための形態】
【００３１】
以下、発明を実施するための形態について、図面を用いて詳細に説明する。
【００３２】
［１．第１の実施の形態］
［１−１．紙幣処理装置の外観構成］
まず第１の実施の形態について説明する。図１に、紙幣処理装置１の外観構成を示す。この紙幣処理装置１は、金融機関の職員（例えば受付窓口員）または金融機関を利用する顧客が操作する職員・顧客操作型端末であり、職員や顧客の操作に基づいて紙幣の入出金処理を行うようになっている。
【００３３】
尚、ここでは、紙幣処理装置１の背面から正面（職員または顧客と対峙する面）へ向かう方向を前方向、その逆方向を後方向と定義すると共に、職員または顧客から見て右側から左側へ向かう方向を左方向、その逆方向を右方向と定義する。
【００３４】
この紙幣処理装置１は、筐体２の上端部に、入金部３（図２参照）の投入口３Ａ、出金部４（図２参照）の排出口４Ａ、表示部５、及び操作部６が設けられている。
【００３５】
入金部３は、職員により投入口３Ａから入金紙幣が投入されると、これを１枚ずつ分離して紙幣処理装置１内に取り込んでいくようになっている。
【００３６】
出金部４は、出金紙幣を集積して、これを排出口４Ａから職員に取り出させるようになっている。またこの出金部４には、排出口４Ａを開閉するシャッタ（図示せず）が設けられている。このシャッタは、紙幣の排出時に開くようになっている。
【００３７】
表示部５は、例えば液晶ディスプレイでなり、メニュー画面、各種処理の結果画面などを表示する。操作部６は、例えばボタンでなり、紙幣処理装置１に対する操作を受け付ける。
【００３８】
尚、紙幣処理装置１では、表示部５と操作部６とを別々に設けているが、例えばタッチパネル付き液晶ディスプレイなどを利用して、表示部５と操作部６とを一体に設けるようにしてもよい。
【００３９】
さらにこの紙幣処理装置１は、図示していないが、ネットワークを介して金融機関の他の端末やホストコンピュータと通信でき、他の端末やホストコンピュータとの間で各種情報を送受したり、他の端末側から操作したりできるようにもなっている。
【００４０】
［１−２．紙幣処理装置の内部構成］
次に、図２を用いて、紙幣処理装置１の内部構成について説明する。
【００４１】
紙幣処理装置１の筐体２内には、上述した入金部３、出金部４にくわえて、鑑別部１０、一時保留部１１、紙幣カセット１２Ａ〜１２Ｄ、リジェクト庫付き紙幣カセット１３及び搬送路１４が設けられて入る。
【００４２】
具体的には、筐体２内の上部に、入金部３が後側、出金部４が前側となるように、これら入金部３と出金部４とが前後方向に並べて設けられている。
【００４３】
また、出金部４の前方ななめ下には、一時保留部１１が設けられ、この一時保留部１１より後方で、入金部３の後方ななめ下には、鑑別部１０が設けられている。
【００４４】
さらに、筐体２内の下部には、紙幣カセット１２Ａ〜１２Ｄとリジェクト庫付き紙幣カセット１３とが前後方向に並べて設けられている。
【００４５】
尚、この紙幣処理装置１では、リジェクト庫付き紙幣カセット１３が最も前側で、その後ろに、紙幣カセット１２Ａ、１２Ｂ、１２Ｃ、１２Ｄの順で、紙幣カセット１２Ａ〜１２Ｄが並べて設けられるようになっている。
【００４６】
さらに、筐体２内には、これら入金部３、出金部４、鑑別部１０、一時保留部１１、紙幣カセット１２Ａ〜１２Ｄ及びリジェクト庫付き紙幣カセット１３の各部を繋ぐ搬送路１４が設けられている。
【００４７】
入金部３は、上面が開口している箱型の収容部３Ｂを有していて、この収容部３Ｂの開口が上述した投入口３Ａとなっている。この入金部３は、入金取引時に、投入口３Ａから収容部３Ｂ内に投入された入金紙幣を１枚ずつ分離して紙幣処理装置１内に取り込んでいくようになっている。
【００４８】
出金部４は、上面が開口している箱型の集積部４Ｂを有している。この集積部４Ｂの開口が上述した排出口４Ａとなる。この出金部４は、出金取引時に、紙幣カセット１２Ａ〜１２Ｄなどから搬送されてくる出金紙幣を集積部４Ｂに集積するようになっている。
【００４９】
さらにこの出金部４には、排出口４Ａを開閉するシャッタ（図示せず）が設けられている。このシャッタは、出金紙幣が集積部４Ｂに集積された後に開くようになっていて、このシャッタが開くことで、職員が集積部４Ｂに集積されている出金紙幣を排出口４Ａから取り出すことができるようになっている。
【００５０】
これら入金部３及び出金部４は、下端部より上端部が前方に位置するよう前方に傾いた状態で固定されている。尚、これら入金部３及び出金部４については、このような固定式に限らず、例えば、前後方向の傾きを調整可能な可動式であってもよい。
【００５１】
鑑別部１０は、搬送路１４を介して１枚ずつ搬送されてくる紙幣の金種、真偽、正損、走行状態などを鑑別するようになっている。そして、この鑑別部１０は、その鑑別結果に基づいて、紙幣ごとに、取り扱うことのできる正常紙幣か取り扱うことのできないリジェクト紙幣かを判定するようになっている。
【００５２】
一時保留部１１は、入金部３から取り込まれて鑑別部１０により正常紙幣と判定された紙幣を一時的に集積する。このようにして一時保留部１１に集積された紙幣は、取引成立後に、一時保留部１１から繰り出されて鑑別部１０に搬送され、鑑別部１０により金種が特定された後、紙幣カセット１２Ａ〜１２Ｄに搬送され収納される。
【００５３】
尚、一時保留部１１は、紙幣を順次重ねて集積する集積式であってもよいし、紙幣をドラムにテープと共に巻き付けて収納するドラム式であってもよい。
【００５４】
紙幣カセット１２Ａ〜１２Ｄは、それぞれ、紙幣を金種ごとに収納可能な縦長の紙幣収納庫１５Ａ〜１５Ｄを有し、搬送路１４を介して搬送されてくる紙幣を、この紙幣収納庫１５Ａ〜１５Ｄ内に上下方向に重ねて集積するようになっている。また紙幣カセット１２Ａ〜１２Ｄは、紙幣を収納するだけでなく、紙幣収納庫１５Ａ〜１５Ｄ内に集積されている紙幣を１枚ずつ搬送路１４に繰り出すことができるようにもなっている。
【００５５】
さらに紙幣カセット１２Ａ〜１２Ｄは、それぞれ個別に紙幣処理装置１から着脱可能な着脱式となっている。
【００５６】
尚、これら紙幣カセット１２Ａ〜１２Ｄについて、ここでは着脱式としたが、着脱不可能な固定式であってもよい。
【００５７】
リジェクト庫付き紙幣カセット１３は、上側に紙幣収納庫１３Ａ、下側にリジェクト庫１３Ｂを有している。このリジェクト庫付き紙幣カセット１３も、紙幣処理装置１から着脱可能な着脱式となっている。
【００５８】
このリジェクト庫付き紙幣カセット１３では、例えば、紙幣回収時に、紙幣カセット１２Ａ〜１２Ｄから繰り出された紙幣を紙幣収納庫１３Ａに収納する。その後、職員が、このリジェクト庫付き紙幣カセット１３を紙幣処理装置１から取り外すことで紙幣を回収するようになっている。
【００５９】
また紙幣補充時には、紙幣収納庫１３Ａに補充紙幣を収納したリジェクト庫付き紙幣カセット１３を、職員が、紙幣処理装置１にセットする。その後、紙幣収納庫１３Ａに収納されている補充紙幣は、リジェクト庫付き紙幣カセット１３から繰り出されて、鑑別部１０を経由して紙幣カセット１２Ａ〜１２Ｄに搬送され補充される。紙幣処理装置１では、このようにして紙幣の補充を行うようになっている。
【００６０】
このように、リジェクト庫付き紙幣カセット１３の紙幣収納庫１３Ａは、複数の用途に利用できるようになっている。
【００６１】
またリジェクト庫付き紙幣カセットのリジェクト庫１３Ｂは、鑑別部１０によってリジェクト紙幣と判定された紙幣を集積するようになっている。
【００６２】
またこの紙幣処理装置１の筐体２内には、所定箇所に、全体を制御する制御部（図示せず）が設けられている。
【００６３】
紙幣処理装置１は、以上の構成でなり、制御部が、鑑別部１０による紙幣の鑑別結果などをもとに各部及び搬送機構（後述する）を制御して、紙幣の入金処理及び出金処理を行うようになっている。
【００６４】
すなわち、紙幣処理装置１は、入金取引時、職員により、操作部６を介して取引項目（この場合、入金）などが入力され、さらに投入口３Ａから入金部３に紙幣が投入されると、投入された紙幣を１枚ずつ鑑別部１０に搬送する。
【００６５】
ここで、紙幣処理装置１は、鑑別部１０により正常紙幣と判定された紙幣については一時保留部１１に搬送して一時的に収納する。一方で、入金に適さない入金リジェクト紙幣と判定された紙幣については出金部４へ戻して、シャッタを開くことで職員に返却する。
【００６６】
その後、職員により入金金額が確定されると、一時保留部１１に収納している紙幣を鑑別部１０に搬送して金種を鑑別し、その金種に応じて、各紙幣カセット１２Ａ〜１２Ｄへ搬送して保管するようになっている。
【００６７】
一方、出金取引時、紙幣処理装置１は、職員により操作部６を介して、取引項目（この場合、出金）、出金金額などが入力されると、要求金額に応じて必要な金種毎の紙幣枚数を認識し、この金種毎の紙幣枚数に応じて各紙幣カセット１２Ａ〜１２Ｄから紙幣を１枚ずつ繰り出して、鑑別部１０に搬送する。
【００６８】
ここで、紙幣処理装置１は、鑑別部１０により正常紙幣と判定された紙幣については出金部４に搬送する一方で、出金に適さない出金リジェクト紙幣と判定された紙幣については一時保留部１１に搬送して一時的に収納する。
【００６９】
そして、要求金額分の紙幣が出金部４へ集積されると、紙幣処理装置１は、シャッタを開ける。これにより出金部４内に集積されている紙幣の受け取りが可能な状態となり、職員がこの紙幣を受け取る。
【００７０】
その後、紙幣処理装置１は、一時保留部１１に収納している出金リジェクト紙幣を、リジェクト庫付き紙幣カセット１３のリジェクト庫１３Ｂへと搬送して保管する。
【００７１】
このようにして、紙幣処理装置１は、紙幣の入金処理及び出金処理を行うようになっている。
【００７２】
［１−３．入金部の構成］
次に、入金部３の構成について、図３乃至図６を用いて詳しく説明する。
【００７３】
図３に示すように、入金部３は、上面が開口している箱型の収容部３Ｂを有している。尚、ここでは、説明を簡単にするために、収容部３Ｂを傾けていないが、実際には、図２に示したように前方に傾けられている。
【００７４】
この収容部３Ｂは、左側壁面の一部分及び右側壁面の一部分と底面を形成するベースフレーム２０と、後側壁面を形成するプールガイド２１と、左側壁面の残りの部分及び右側壁面の残り部分を形成する左サイドガイド２２及び右サイドガイド２３と、前側壁面を形成するビルプレス２４とで構成される。
【００７５】
ベースフレーム２０は、左側壁面の一部分を形成する左フレーム２０Ａと、右側壁面の一部分を形成する右フレーム２０Ｂと、底面を形成する下フレーム２０Ｃとで構成されている。
【００７６】
左フレーム２０Ａは、前後方向に延在する板状の下端部３０と、この下端部３０の前端から上方に延びる柱状の前端部３１と、下端部３０の後端から上方に延びる柱状の後端部３２とで、全体として上側が開いたコの字型の形状をなしている。
【００７７】
右フレーム２０Ｂも同様に、前後方向に延在する板状の下端部３０と、この下端部３０の前端から上方に延びる柱状の前端部３１と、下端部３０の下端から上方に延びる柱状の後端部３２とで、全体として上側が開いたコの字型の形状をなしている。
【００７８】
下フレーム２０は、左フレーム２０Ａの下端部３０と右フレーム２０Ｂの下端部３０との間を繋ぐ板状の部材であり、その上面が、左フレーム２０Ａの下端部３０の上面及び右フレーム２０Ｂの下端部３０の上面と同一平面上に位置している。
【００７９】
この下フレーム２０には、図４に示すように、後端側に、左右方向に長い孔３３が設けられていて、この孔３３が、紙幣の取込口３３となっている。
【００８０】
プールガイド２１は、左フレーム２０Ａの後端部３２と右フレーム２０Ｂの後端部３２との間を塞ぐようにして下フレーム２０Ｃの後端から上方に延びる板状の部材であり、ベースフレーム２０に固定されている。
【００８１】
このプールガイド２１は、上面が、左フレーム２０Ａの上面及び右フレーム２０Ｂの上面とほぼ同じ高さとなるように、上下方向の長さが決められている。
【００８２】
また、このプールガイド２１は、図４に示すように、その前面であるガイド面２１Ａが、左フレーム２０Ａの後端部３２の前面３２Ａ及び右フレーム２０Ｂの後端部３２の前面３２Ａとほぼ同一平面上となっていて、またこのガイド面２１Ａの下方に、下フレーム２０の取込口３３が位置するようになっている。
【００８３】
左サイドガイド２２は、図５に示すように、左フレーム２０Ａの前端部３１と後端部３２との間にほぼ隙間無く収まるようにして、左フレーム２０Ａの下端部３０の上面から、前端部３１及び後端部３２の上面とほぼ同じ高さまで延在する板状の部材であり、左フレーム２０Ａに固定されている。
【００８４】
またこの左サイドガイド２２には、上下方向の中央部分に厚さ方向に貫通する孔３４が設けられている。この孔３４は、左サイドガイド２２の前端近傍から後端近傍まで延在する前後方向に長い孔３４であり、詳しくは後述するが、ビルプレス２４の前後方向の移動をガイドする孔３４である。ゆえに、ここでは、この孔３４を、ガイド孔３４と呼ぶ。
【００８５】
尚、この左サイドガイド２２は、詳しくは後述するが、左フレーム２０Ａとの固定を解除して、左右方向の位置を変更できるようにもなっている。
【００８６】
一方、右サイドガイド２３は、図３に示すように、右フレーム２０Ｂの前端部３１と後端部３２との間にほぼ隙間無く収まるようにして、右フレーム２０Ｂの下端部３０の上面から、前端部３１及び後端部３２の上面とほぼ同じ高さまで延在する板状の部材であり、右フレーム２０Ｂに固定されている。
【００８７】
この右サイドガイド２３にも、上下方向の中央部分に厚さ方向に貫通するガイド孔２４が設けられている。
【００８８】
この右サイドガイド２３も、詳しくは後述するが、右フレーム２０Ｂとの固定を解除して、左右方向の位置を変更できるようになっている。
【００８９】
このように、収容部３Ｂは、左サイドガイド２２と右サイドガイド２３の左右方向の位置を変更できるようになっていて、これにより、両サイドガイド２２、２３の間隔を調整して、大きさの異なる紙幣に対応できるようになっている。尚、調整の手順について、詳しくは後述する。
【００９０】
ビルプレス２４は、図３及び図４に示すように、左サイドガイド２２と右サイドガイド２３との間にほぼ隙間無く収まるようにして、下フレーム２０Ｃの上面から、左サイドガイド２２及び右サイドガイド２３の上面とほぼ同じ高さまで延在する板状の部材であり、プールガイド２１と平行な状態で、前後方向に移動できるようになっている。
【００９１】
このビルプレス２４には、左側面２４Ａの上下方向の中央部分と、右側面２４Ｂの上下方向の中央部分とに、それぞれ外側に突出する柱状の突起部３５が設けられている。
【００９２】
ビルプレス２４の左側面２４Ａに設けられた突起部３５は、左サイドガイド２２のガイド孔３４に嵌入され、右側面２４Ｂに設けられた突起部３５は、右サイドガイド２３のガイド孔３４に嵌入されるようになっている。
【００９３】
そして、ビルプレス２４は、左右の突起部３５が両サイドガイド２２、２３のガイド孔３４にガイドされるようにして、前後方向に移動できるようになっている。
【００９４】
また、ビルプレス２４は、左右の突起部３５の前後方向の移動範囲が、両サイドガイド２２、２３のガイド孔３５の前端から後端までに制限されていることにより、全体としての前後方向の移動範囲が、両サイドガイド２２、２３の前端から後端までに制限されている。
【００９５】
尚、このビルプレス２４は、詳しくは後述するが、両サイドガイド２２、２３の間隔を調整するのに合わせて、左右方向の幅を調整できるようにもなっている。
【００９６】
入金部３は、このような構成を有していて、図３に示すように、収容部３Ｂのプールガイド２１、両サイドガイド２２、２３及びビルプレス２４のそれぞれの上面により形成される開口が、紙幣の投入口３Ａとなっている。
【００９７】
また入金部３は、図４に示すように、収容部３Ｂの下フレーム２０Ｃ、プールガイド２１、両サイドガイド２２、２３及びビルプレス２４によって囲まれている領域Ａｒ１が、投入口３Ａから投入される紙幣を収容する紙幣収容領域Ａｒ１となっている。
【００９８】
ここで、実際に、紙幣を入金するときの入金部３の動作について簡単に説明する。入金部３は、紙幣投入時には、図４に示すように、ビルプレス２４が両サイドガイド２２、２３の前端側に位置している。このときのビルプレス２４の位置を初期位置とも呼ぶ。
【００９９】
このとき、収容部３Ｂは、ビルプレス２４とプールガイド２１との間隔が最大となっている。
【０１００】
ここで、例えば職員により投入口３Ａから紙幣ＢＬが投入されると、この紙幣ＢＬが、紙幣収容領域Ａｒ１内に収容される。このとき、紙幣ＢＬは、長辺を左右方向、短辺を上下方向に向けた姿勢で投入され、紙幣収容領域Ａｒ１内に起立した状態で収容されるようになっている。
【０１０１】
すると、入金部３は、図６に示すように、ビルプレス２４をプールガイド２１へと近づけるようにスライドさせる。これにより、入金部３は、紙幣ＢＬをプールガイド２１に押し付けるようにしてプールガイド２１とビルプレス２４との間で挟持する。
【０１０２】
ここで、プールガイド２１は、ガイド面２１Ａから、図示しないピックアップローラの一部が突出するようになっている。そして、プールガイド２１に押し付けられた紙幣ＢＬは、このピックアップローラが回転することにより、１枚ずつ分離させられて下方の取込口３３へと繰り出される。
【０１０３】
さらに、この取込口３３へと繰り出された紙幣は、取込口３３の下方に配置された図示しないフィードローラとゲートローラにより取込口３３から紙幣処理装置１の内部へと取り込まれる。
【０１０４】
このようにして、入金部３は、入金される紙幣を１枚ずつ取り込んでいくようになっている。
【０１０５】
次に、両サイドガイド２２及び２３の間隔の調整について詳しく説明する。左サイドガイド２２及び右サイドガイド２３は、それぞれ左フレーム２０Ａ及び右フレーム２０Ｂに固定されているが、この固定を解除して、左右方向の位置を変更することで、互いの間隔を調整できるようになっている。
【０１０６】
すなわち、左フレーム２０Ａ及び右フレーム２０Ｂと、左サイドガイド２２及び右サイドガイド２３には、それぞれ左サイドガイド２２と右サイドガイド２３の間隔を調整するためのサイドガイド調整機構が設けられていて、以下、このサイドガイド調整機構について説明する。
【０１０７】
図７乃至図９に示すように、左フレーム２０Ａの前端部３１には、後面（後端部３２と対向する面）３１Ａの上端部に、後方に突出する突起部４０が形成されている。
【０１０８】
この突起部４０は、図９に示すように、前端部３１の上面より下方に位置すると共にこの上面と平行な板状の下側突起４０Ａと、この下側突起４０Ａと直交する板状の上側突起４０Ｂとでなり、全体として断面逆Ｔ字型の形状をなしている。
【０１０９】
下側突起４０Ａは、前端部３１の後面３１Ａの左端から右端まで延在している。一方、上側突起４０Ｂは、左右方向の幅が前端部３１の左右方向の幅より十分薄く、下側突起４０Ａの上面から前端部３１の上面とほぼ同じ高さまで延在している。
【０１１０】
この突起部４０は、図７に示すように、左フレーム２０Ａの後端部３２の前面（前端部３１と対向する面）３２Ａの上端部にも形成されている。
【０１１１】
また、この突起部４０は、左フレーム２０Ａと同様にして右フレーム２０Ｂにも形成されている。
【０１１２】
一方で、図１０に示すように、左サイドガイド２２の前面（左フレーム２０Ａの前端部３１と対向する面）２２Ａの上端部には、左フレーム２０Ａの前端部３１に設けられた上側突起４０Ｂを嵌合するための上下方向に延びる溝４１が、左右方向に所定の間隔を隔てて２本形成されている。
【０１１３】
尚、ここでは、内側の溝４１を、内側溝４１Ａと呼び、外側の溝４１Ｂを、外側溝４１Ｂと呼ぶことにする。
【０１１４】
これら、内側溝４１Ａ及び外側溝４１Ｂは、左フレーム２０Ａの上側突起４０Ｂに合わせた大きさでなり、その幅が、上側突起４０Ｂの幅とほぼ等しく、その長さが、上側突起４０Ｂの長さとほぼ等しくなっている。
【０１１５】
さらに、これら内側溝４１Ａ及び外側溝４１Ｂが設けられている上端部の下には、右端近傍から左端に架けて断面コの字型の凹部４２が形成されている。この凹部４２は、左サイドガイド２２の左側面である背面２２Ｃまで達していて、図８に示すように、この凹部４２により背面２２Ｃの一部がコの字型に切り欠かれている。
【０１１６】
さらに、左サイドガイド２２には、図１０に示すように、凹部４２内にアーム４３が形成されている。このアーム４３は、Ｌ字型の板状でなり、凹部４２と直交する付根部分４３Ａと、凹部４２と平行なアーム部分４３Ｂとで形成されている。
【０１１７】
このアーム４３は、付根部分４３Ａが凹部４２の右端近傍から延びていて、この付根部分４３Ａに続くアーム部分４３Ｂが凹部４２の右端近傍から左方向へと延びている。そして、このアーム部分４３Ｂの先端が、左サイドガイド２２の背面２２Ｃより外方に突出している。
【０１１８】
またこのアーム４３は、図１０（Ｂ）に示すように、アーム部分４３Ｂの外側面が、左サイドガイド２２の前面２２Ａより内側に位置するように形成されている。
【０１１９】
さらにこのアーム４３は、アーム部分４３Ｂの所定箇所に、外側に突出する爪部４３Ｃが形成されている。この爪部４３Ｃは、凹部４２の上面との間に一定の隙間が空くようにして形成されている。
【０１２０】
尚、アーム部分４３Ｂの爪部４３Ｃと、凹部４２の上面との間の隙間は、左フレーム２０Ａに形成されている下側突起４０Ａの厚さとほぼ等しくなっている。この理由については後述する。
【０１２１】
くわえて、このアーム４３は、弾性を有し、図１１に示すように、例えばアーム部分４３Ｂを手で内側に押すことにより内側に曲げることができ、さらにこの手を放すことにより元の形状に戻ることができるようになっている。
【０１２２】
左サイドガイド２２の後面２２Ｂも、前面２２Ａと同様であり、その上端部に内側溝４１Ａ及び外側溝４１Ｂが形成され、その下に凹部４２とアーム４３が形成されている。
【０１２３】
そして、この左サイドガイド２２は、図７及び図８に示すように、左フレーム２０Ａの前端部３１及び後端部３２に設けられた下側突起４０Ａを、前面２２Ａ及び後面２２Ｂに形成されたアーム４３の爪部４３Ｃと凹部４２の上面との間に挟み込み、さらに左フレーム２０Ａの前端部３１及び後端部３２に設けられた上側突起４０Ｂを、前面２２Ａ及び後面２２Ｂに形成された内側溝４１Ａ及び外側溝４１Ｂのどちらか一方に嵌合することで、左フレーム２０Ａに固定される。
【０１２４】
すなわち、この左サイドガイド２２は、左フレーム２０Ａの下側突起４０Ａを、アーム４３の爪部４３Ｃと、その上方に位置する凹部４２の上面とで挟持することで、上下方向の位置が固定されるようになっている。
【０１２５】
また、この左サイドガイド２２は、左フレーム２０Ａの上側突起４０Ｂを、内側溝４１Ａ及び外側溝４１Ｂのどちらか一方に嵌合することで、左右方向の位置が固定されるようになっている。
【０１２６】
さらに、この左サイドガイド２２は、上下方向の位置及び左右方向の位置の固定を自由に解除できるようになっている。
【０１２７】
実際、固定を解除するためには、まず、作業者が左サイドガイド２２の前面２２Ａ及び後面２２Ｂのそれぞれに形成されたアーム４３の先端を手で内側に押して曲げる。
【０１２８】
すると、図１１に示したように、左フレーム２０Ａの下側突起４０Ａの下に位置しているアーム４３の爪部４３Ｃが、下側突起４０Ａの下から外れるように内側に移動することにより、左サイドガイド２２の上下方向の位置の固定が解除され、左サイドガイド２２が上方に移動できるようになる。
【０１２９】
ところで、左サイドガイド２２は、図５に示したように、ガイド孔３４にビルプレス２４の突起部３５が挿入されている。ここで、このガイド孔３４の上下方向の長さが、突起部３５の上下方向の長さと同じだと、左サイドガイド２２を上方に移動させようとしても、突起部３５の下面がガイド孔３４の下面に当接して移動できない。
【０１３０】
そこで、入金部３では、突起部３５の下面とガイド孔３４の下面との間に隙間ができるように、ガイド孔３４の上下方向の長さが、突起部３５の上下方向の長さより長くなっている。
【０１３１】
これにより、入金部３では、左サイドガイド２２のガイド孔３４にビルプレス２４の突起部３５を挿入したまま、突起部３５の下面とガイド孔３４の下面との間の隙間の分だけ、左サイドガイド２２を上方に移動させることができるようになっている。
【０１３２】
そして、実際、図１２に示すように、アーム４３を内側に曲げた状態で左サイドガイド２２を上方に移動させると、左サイドガイド２２の前面２２Ａ及び後面２２Ｂのそれぞれに形成されている内側溝４１Ａ及び外側溝４１Ｂが、左フレーム２０Ａの上側突起４０Ｂから外れる。
【０１３３】
これにより、左サイドガイド２２は、左右方向の位置の固定も解除され、左右方向に移動できるようになる。
【０１３４】
このとき、左サイドガイド２２は、上下方向の位置及び左右方向の位置の固定が解除され、左右方向の位置を変更できる状態となる。
【０１３５】
ここで、左フレーム２０Ａの上側突起４０Ｂの上方に、左サイドガイド２２の内側溝４１Ａ又は外側溝４１Ｂのどちらかが位置するように左サイドガイド２２を左右方向に移動させる。
【０１３６】
このとき、左サイドガイド２２と右サイドガイド２３の間隔を広くするためには、図７に示すように、左フレーム２０Ａの上側突起４０Ｂに、左サイドガイド２２の内側溝４１Ａを合わせるように、左サイドガイド２２を移動させればよい。
【０１３７】
一方で、左サイドガイド２２と右サイドガイド２３の間隔を狭くするには、左フレーム２０Ａの上側突起４０Ｂに、左サイドガイド２２の外側溝４１Ｂを合わせるように、左サイドガイド２２を移動させればよい。
【０１３８】
このようにして、左サイドガイド２２の位置を変更したら、左サイドガイド２２を下方に降ろす。すると、左フレーム２０Ａの上側突起４０Ｂが、左サイドガイド２２の内側溝４１Ａ又は外側溝４１Ｂに嵌合することで、左サイドガイド２２の左右方向の位置が再び固定される。
【０１３９】
そして、最後に、内側に曲げていたアーム４３を元の形状に戻すことで、左サイドガイド２２の上下方向の位置も再び固定される。
【０１４０】
このようにして、左サイドガイド２２は、左右方向の位置を変更できるようになっている。
【０１４１】
右サイドガイド２３も、左サイドガイドと同様であり、前面２３Ａと後面２３Ｂに、それぞれ内側溝４１Ａ及び外側溝４１Ｂと、凹部４２及びアーム４３が形成されている。
【０１４２】
そして、左サイドガイド２２と同様の手順で、左右方向の位置を変更できるようになっている。
【０１４３】
このように、入金部３では、両サイドガイド２２、２３の左右方向の位置を変更して、両サイドガイド２２、２３の間隔を調整することができるようになっている。
【０１４４】
そして実際、この入金部３では、図１３（Ａ）に示すように、左フレーム２０Ａ及び右フレーム２０Ｂに設けられた上側突起４０Ｂを、左サイドガイド２２及び右サイドガイド２３の内側溝４１Ａに嵌合することで、左サイドガイド２２と右サイドガイド２３の間隔を広くすることができる。
【０１４５】
一方で、図１３（Ｂ）に示すように、左フレーム２０Ａ及び右フレーム２０Ｂの上側突起４０Ｂを、左サイドガイド２２及び右サイドガイド２３の外側溝４１Ｂに嵌合すれば、左サイドガイド２２と右サイドガイド２３の間隔を狭くすることができる。
【０１４６】
このようにして、入金部３は、紙幣収容領域Ａｒ１の横幅の長さを変更することができ、これにより大きさの異なる紙幣（すなわち長辺の長さが異なる紙幣）に対応できるようになっている。
【０１４７】
次に、ビルプレス２４の左右の幅の調整について詳しく説明する。ビルプレス２４は、左サイドガイド２２と右サイドガイド２３との間に位置していて、これらの間隔が調整されることに合わせて、幅を調整できるようになっている。
【０１４８】
すなわち、ビルプレス２４には、幅を調整するための幅調整機構が設けられていて、以下、この幅調整機構について説明する。
【０１４９】
ビルプレス２４には、図３にくわえて、図１４に示すように、左側面２４Ａの上下方向の中央部分に外側に突出する柱状の突起部３５が設けられていて、この突起部３５が、左サイドガイド２２のガイド孔３４に挿入されている。
【０１５０】
さらに、このビルプレス２４には、左端の内部に、ビルプレス２４より一回り小さい板状の幅調整部５０が、一部がビルプレス２４の左側面２４Ａから突出するようにして設けられている。
【０１５１】
この幅調整部５０は、ビルプレス２４の押圧面２４Ａ側の面（すなわち後面）５０Ａの中央部分に、左右方向に延在する断面コの字型の溝５０Ｂが形成されていて、この溝５０Ｂに、突起部３５が嵌入されている。
【０１５２】
また、この幅調整部５０は、ビルプレス２４に対して左右方向にスライド自在に取り付けられていて、突起部３５に沿って左右方向にスライドすることにより、左側面２４Ａからの突出量を変更できるようになっている。
【０１５３】
さらに、この幅調整部５０の溝５０Ｂの上面には、その所定位置に、下方に突出する断面三角形状の爪部５０Ｃが形成されている。
【０１５４】
一方で、幅調整部５０の溝５０Ｂの上面と対向する、突起部３５の上面には、爪部５０Ｃを嵌合するための凹部５１が、左右方向に所定の間隔を隔てて２個形成されている。
【０１５５】
尚、ここでは、内側の凹部５１を、内側凹部５１Ａと呼び、外側の凹部５１を、外側凹部５１Ｂと呼ぶことにする。
【０１５６】
幅調整部５０は、爪部４０Ｃを、内側凹部５１Ａ又は外側凹部５１Ｂに嵌合することで、ビルプレス２４の左側面２４Ａからの突出量を固定できるようになっている。
【０１５７】
尚、左側面２４Ａからの突出量を小さくする場合には、爪部５０Ｃを内側凹部５１Ａに嵌合し、突出量を大きくする場合には、外側凹部５１Ｂに嵌合すればよい。
【０１５８】
また、この幅調整部５０は、図１４に示すように、爪部５０Ｃを外側凹部５１Ｂに嵌合して突出量を大きくしたときには、右サイドガイド２３との間隔を広くした状態の左サイドガイド２２との隙間がほぼなくなるようになっている。
【０１５９】
一方で、爪部５０Ｃを内側凹部５１Ａに嵌合して突出量を小さくしたときには、右サイドガイド２３との間隔を狭くした状態の左サイドガイド２２との隙間がほぼなくなるようになっている。
【０１６０】
さらに、この幅調整部５０は、ビルプレス２４の右側にも設けられていて、左側と同様に右側面２４Ｂからの突出量を変更できるようになっている。
【０１６１】
このように、ビルプレス２４は、左右に設けられている幅調整部５０の左側面２４Ａ及び右側面２４Ｂからの突出量を変更することができ、これにより左右の幅を調整できるようになっている。
【０１６２】
そして、実際、入金部３では、図１３（Ａ）に示したように、左サイドガイド２２と右サイドガイド２３の間隔を広くするときには、これに合わせて、ビルプレス２４の左右に設けられている幅調整部５０の突出量を大きくしてビルプレス２４の幅を広くする。
【０１６３】
また一方で、図１３（Ｂ）に示したように、左サイドガイド２２と右サイドガイド２３の間隔を狭くするときには、これに合わせて、ビルプレス２４の左右に設けられている幅調整部５０の突出量を小さくしてビルプレス２４の幅を狭くする。
【０１６４】
このように、入金部３は、左サイドガイド２２と右サイドガイド２３の間隔を調整することに合わせて、ビルプレス２４の幅も調整することができ、これにより、ビルプレス２４と、左サイドガイド２２及び右サイドガイド２３との間に紙幣が入り込んでしまうことを防ぐようになっている。
【０１６５】
［１−４．効果］
以上の構成において、紙幣処理装置１では、両サイドガイド２２、２３の間隔を調整する場合、作業者が、まず左サイドガイド２２の前面２２Ａ及び後面２２Ｂに形成されたアーム４３の先端を手で内側に押して曲げることで、左サイドガイド２２の上下方向の固定が解除される。
【０１６６】
このとき、紙幣処理装置１は、左サイドガイド２２の内側溝４１Ａ及び外側溝４１Ｂを左フレーム２０Ａの上側突起４０Ｂから外して左サイドガイド２２の左右方向の位置の固定を解除できる状態となる。
【０１６７】
つまり、アーム４３をまげて、左サイドガイド２２の上下方向の固定を解除することは、左サイドガイド２２の内側溝４１Ａ及び外側溝４１Ｂを左フレーム２０Ａの上側突起４０Ｂから外して左サイドガイド２２の左右方向の位置の固定を解除できる状態とすることを意味する。
【０１６８】
ここで、実際に、作業者が、左サイドガイド２２を上方に移動させ、左サイドガイド２２の内側溝４１Ａ及び外側溝４１ｂを、左フレーム２０Ａの上側突起４０Ｂから外すと、左サイドガイド２２の左右方向の位置の固定が解除される。
【０１６９】
さらに、作業者が、左フレーム２０Ａの上側突起４０Ｂの上方に、左サイドガイド２２の内側溝４１Ａ又は外側溝４１Ｂのどちらかが位置するように左サイドガイド２２を左右方向に移動させることで、左サイドガイド２２の左右方向の位置が変更される。
【０１７０】
その後、左サイドガイド２２を下方に降ろして、左フレーム２０Ａの上側突起４０Ｂを、左サイドガイド２２の内側溝４１Ａ又は外側溝４１Ｂに嵌合することで、左サイドガイド２２の左右方向の位置が再び固定される。
【０１７１】
そして、最後に、作業者がアーム４３から手を放してアーム４３を元の形状に戻すことで、左サイドガイド２２の上下方向の位置が再び固定される。すなわち、アーム４３は、元の形状に戻ると、左サイドガイド２２の内側溝４１Ａ及び外側溝４１Ｂが左フレーム２０Ａの上側突起４０Ｂから外れないように維持するようになっている。
【０１７２】
紙幣処理装置１では、このようにして左サイドガイド２２の左右方向の位置を変更でき、同様に、右サイドガイド２３の左右方向の位置も変更することで、左サイドガイド２２及び右サイドガイド２３の間隔を調整できるようにした。
【０１７３】
このように、紙幣処理装置１では、左サイドガイド２２と右サイドガイド２３のアーム４３を内側に曲げるだけで、これらの上下方向の固定を解除することができ、さらにこれらを上方に持ち上げて左右方向の位置を変更することでこれらの間隔を調整した後、これらを下方に降ろしてアームを元の形状に戻すだけで、これらを再び固定することができる。
【０１７４】
かくして、紙幣処理装置１では、別途ネジなどの固定具を必要とせず、簡易な作業で、左サイドガイド２２及び右サイドガイド２３の間隔を調整できると共に、これらの位置を固定できる。
【０１７５】
またこの紙幣処理装置１では、例えば、左サイドガイド２２の前面２２Ａと後面２２Ｂに設けられた２個のアーム４３を内側に曲げるときに、例えば、前面２２Ａのアーム４３を人差し指で触ると共に、後面２２Ｂのアーム４３を親指で触り、人差し指と親指を近づけるように力をくわえるだけで、両方のアーム４３を一度に内側に曲げることができる。
【０１７６】
このように、紙幣処理装置１では、片手で簡単に左サイドガイド２２の前側と後側に設けられた２個のアーム４３を内側に曲げることができるようにもなっている。右サイドガイド２３のアーム４３についても同様にして、片手で簡単に内側に曲げることができるようになっている。
【０１７７】
以上の構成によれば、紙幣処理装置１は、従来と比して一段と容易に両サイドガイド２２、２３の位置を変更して、互い間隔を調整することができる。
【０１７８】
くわえて、紙幣処理装置１では、左サイドガイド２２と右サイドガイド２３の間に位置するビルプレス２４の幅を調整する場合、作業者が、ビルプレス２４の左右両端から突出する幅調整部５０を左右方向に移動させることで、この幅調整部５０のビルプレス２４からの突出量を変更する。
【０１７９】
こうすることで、紙幣処理装置１では、左サイドガイド２２及び右サイドガイド２３の間隔を調整することに合わせて、これらとビルプレス２４との間に大きな隙間ができないようにビルプレス２４の幅も調整することができる。
【０１８０】
因みに、従来の入金部では、図１５に示すように、ビルプレス１００の左右両端部分１００Ａ、１００Ｂが切り離し可能となっていて、この左右両端部分１００Ａ、１００Ｂを、ビルプレス１００から切り離すことにより、ビルプレス１００の幅を短くできるようになっていた。
【０１８１】
しかしながら、この場合、一度切り離してしまったら、ビルプレス１００の幅を元の幅に戻すことはできず、幅を広げるには、新品のビルプレス１００と交換するしかなかった。
【０１８２】
これに対して、本実施の形態の入金部３では、ビルプレス２４の一部を切り離したりすることなく、ビルプレス２４の幅を自由に調整することができるので、従来と比して、使い勝手がよく、幅の調整の自由度が高くなっている。
【０１８３】
［２．第２の実施の形態］
次に第２の実施の形態について説明する。この第２の実施の形態は、入金部のサイドガイドとフレームの構成が第１の実施の形態とは異なる実施の形態である。ゆえに、ここでは、これらの構成についてのみ説明することとする。
【０１８４】
［２−１．サイドガイド及びフレームの構成］
図１６及び図１７に、第２の実施の形態の左サイドガイド６０と左フレーム６１を示す。尚、この図１６及び図１７は、第１の実施の形態の左サイドガイド２２及び左フレーム２０Ａと同一の部分については、同一符号を付してある。
【０１８５】
この第２の実施の形態の左サイドガイド６０は、その前面（左フレーム６１の前端部６２と対向する面）６０Ａの上端部が、左端から右端に架けて断面Ｌ字型に切り欠かれている。
【０１８６】
さらに、左サイドガイド６０には、この切り欠かれた部分（これを切欠部と呼ぶ）６３にアーム６４が形成されている。このアーム６４は、Ｌ字型の板状でなり、切欠部６３と直交する付根部分６４Ａと、この切欠部６３と平行なアーム部分６４Ｂとで形成されている。
【０１８７】
このアーム６４は、付根部分６４Ａが切欠部６３の右端に形成されていて、さらにこの付根部分６４Ａに続くアーム部分６４Ｂが切欠部６３の右端から左方向へと延びていて、アーム部分６４Ｂの先端が、左サイドガイド６０の背面６０Ｂより外方に突出している。
【０１８８】
またこのアーム６４は、アーム部分６４Ｂの外側面が、左サイドガイド６０の前面６０Ａとほぼ同一平面上となるように形成されている。
【０１８９】
さらにこのアーム６４は、アーム部分６４Ｂの所定箇所に、外側に突出する突起部６４Ｃが形成されている。
【０１９０】
くわえて、このアーム６４は、弾性を有し、図１８に示すように、アーム部分６４Ｂを手で内側に押すことで内側に曲げることができ、さらにこの手を放すことにより元の形状に戻ることができるようになっている。
【０１９１】
左サイドガイド６０の後面６０Ｃ（図１６）も、前面６０Ａと同様であり、その上端部にアーム６４が形成されている。
【０１９２】
右サイドガイド（図示せず）も、左サイドガイド６０と同様であり、前面と後面の上端部に、それぞれアーム６４が形成されている。
【０１９３】
一方、左フレーム６１の前端部６２には、後面６２Ａ（後端部６５と対向する面）の上端部に、左サイドガイド６０の前面６０Ａに設けられたアーム６４の突起部６４Ｃを嵌合するための上下方向に延びる溝６６が、左右方向に所定の間隔を隔てて２本形成されている。
【０１９４】
尚、ここでは、内側の溝６６を、内側溝６６Ａと呼び、外側の溝６６を、外側溝６６Ｂと呼ぶことにする。
【０１９５】
これら、内側溝６６Ａ及び外側溝６６Ｂは、アーム６４の突起部６４Ｃに合わせた大きさでなり、その幅が、突起部６４Ｃの幅とほぼ等しく、その長さが、突起部６４Ｃの長さとほぼ等しくなっている。
【０１９６】
これら内側溝６６Ａ及び外側溝６６Ｂは、左フレーム６１の後端部６５の前面（前端部６２と対向する面）６５Ａ（図１６）の上端部にも設けられている。
【０１９７】
また、これら内側溝６６Ａ及び外側溝６６Ｂは、左フレーム６１と同様にして右フレーム（図示せず）にも設けられている。
【０１９８】
そして、この第２の実施の形態では、左サイドガイド６０の前面６０Ａ及び後面６０Ｃに形成されたアーム６４の突起部６４Ｃを、左フレーム６１の前端部６２及び後端部６５に形成された内側溝６６Ａ及び外側溝６６Ｂのどちらか一方に嵌合することで、左サイドガイド６０を左フレーム６１に固定するようになっている。
【０１９９】
また、右サイドガイド（図示せず）も、左サイドガイド６０と同様にして右フレーム（図示せず）に固定するようになっている。
【０２００】
さらに、この第２の実施の形態では、図１８に示すように、左サイドガイド６０の前面６０Ａ及び後面６０Ｃのそれぞれに形成されたアーム６４の先端を手で内側に押して曲げることで、左サイドガイド６０の左右方向の固定を解除できるようになっている。
【０２０１】
実際、左サイドガイド６０の前面６０Ａ及び後面６０Ｃのそれぞれに形成されたアーム６４が内側に曲げられると、アーム６４の突起部６４Ｃが、左フレーム６１の内側溝６６Ａ又は外側溝６６Ｂから外れる。
【０２０２】
これにより、左サイドガイド６０は、左右方向の固定が解除され、左右方向に移動できるようになる。
【０２０３】
そして、アーム６４の突起部６４Ｃが、左フレーム６１の内側溝６６Ａ又は外側溝６６Ｂのどちらかの横に位置するように左サイドガイドを左右方向に移動させて位置を変更したら、内側に曲げていたアーム６４を元の形状に戻す。
【０２０４】
これにより、アーム６４の突起部６４Ｃが、左フレーム６１の内側溝６６Ａ又は外側溝６６Ｂに再び嵌合されて、左サイドガイド６０の左右方向の位置が再び固定される。
【０２０５】
このようにして、左サイドガイド６０は、左右方向の位置を変更できるようになっている。
【０２０６】
右サイドガイドも、左サイドガイド６０と同様の手順で、左右方向の位置を変更できるようになっている。
【０２０７】
この第２の実施の形態では、このようにして左サイドガイド６０及び右サイドガイドの左右方向の位置を変更し、左サイドガイド６０と右サイドガイドの間隔を調整することができるようになっている。
【０２０８】
このように、この第２の実施の形態では、第１の実施の形態とは異なり、左サイドガイド６０及び右サイドガイドを上方に移動させることなく、左サイドガイド６０と右サイドガイドの間隔を調整できるようになっている。
【０２０９】
すなわち、この第２の実施の形態では、左サイドガイド６０と右サイドガイドのアーム６４を内側に曲げるだけで、これらの左右方向の固定を解除することができ、さらにこれらを左右方向に移動させて間隔を調整した後、アーム６４を元の形状に戻すだけで、これらを再び固定することができる。
【０２１０】
かくして、この第２の実施の形態でも、別途ネジなどの固定具を必要とせず、簡易な作業で、左サイドガイド６０及び右サイドガイドの位置を変更して固定できる。
【０２１１】
また、この第２の実施の形態の場合、左右方向の固定を解除するだけでよいので、第１の実施の形態と比して、一段と簡易な作業で、左サイドガイド６０及び右サイドガイドの間隔を調整できるとも言える。
【０２１２】
尚、左サイドガイド６０及び右サイドガイドは、第１の実施の形態と同様、図１６に示すように、ガイド孔３４に、ビルプレス２４の突起部３５が挿入されている。
【０２１３】
ただし、この第２の実施の形態では、左サイドガイド６０及び右サイドガイドを上方に移動させる必要がないため、ビルプレス２４の突起部３５の下面と、左サイドガイド６０及び右サイドガイドのガイド孔３４の下面との間に隙間を設けなくてよく、その分、ビルプレス２４が、左サイドガイド６０及び右サイドガイドに対して上下方向にぐらつくことなく、スムーズに前後方向に移動できるようになっている。
【０２１４】
［３．他の実施の形態］
［３−１．他の実施の形態１］
尚、上述した第１の実施の形態では、ベースフレーム２０とプールガイド２１を別体としたが、ベースフレーム２０とプールガイド２１を一体としてもよい。
【０２１５】
また、図１９に示すように、左サイドガイド２２の後面２２Ｂに断面略三角形状の突起部７０を設けると共に、この後面２２Ｂに対向する左フレーム２０Ａの後端部３２の前面３２Ａと、プールガイド２１のガイド面２１（図１９では後端部３２の奥側に存在するので省略）の左端部とに、この突起部７０に合わせた形状の凹部７１を形成するようにして、左サイドガイド２２と、左フレーム２０Ａの後端部３２及びプールガイド２１の左端部とを入れ子構造としてもよい。
【０２１６】
この場合、同様にして、右サイドガイド２３と、右フレーム２０Ｂの後端部３２及びプールガイド２１の右端部も入れ子構造とする。
【０２１７】
尚、左フレーム２０Ａ及び右フレーム２０Ｂとプールガイド２１に形成される凹部７１は、左右方向に延在するようになっていて、これにより、左サイドガイド２２及び右サイドガイド２３の左右方向の位置を変更するときに、これらと干渉しないようになっている。
【０２１８】
またこの凹部７１は、左サイドガイド２２及び右サイドガイド２３の突起部７０の下端と、凹部７１の下端との間に一定の隙間が設けられるように、突起部７０よりも上下方向の長さが長くなるように形成されている。
【０２１９】
これは、左サイドガイド２２及び右サイドガイド２３を上方に移動させるときに、これらと干渉しないようにするためである。
【０２２０】
またこれら突起部７０と凹部７１は、上下方向に複数設けるようにしてもよい。また両サイドガイド２２、２３側に凹部７１を設け、右フレーム２０Ｂの後端部３２及びプールガイド２１の右端部に突起部７０を設けるようにして、互いの入れ子の関係を逆にしてもよい。
【０２２１】
また、ここでは、両サイドガイド２２、２３と、左フレーム２０Ａ及び右フレーム２０Ｂの後端部３２とを入れ子構造としたが、同様にして両サイドガイド２２、２３と左フレーム２０Ａ及び右フレーム２０Ｂの前端部３１とを入れ子構造としてもよい。
【０２２２】
［３−２．他の実施の形態２］
また、上述した第１の実施の形態では、左フレーム２０Ａの前端部３１及び後端部３２に、左サイドガイド２２の左右方向の位置を固定するための溝４１（内側溝４１Ａ及び外側溝４１Ｂ）を左右方向に２個設けるようにした。
【０２２３】
これに限らず、この溝４１を左右方向に３個以上設けるようにしてもよい。このように、溝４１の数を多くすれば、その分、左サイドガイド２２の調整を一段と細かく行うことができるようになる。
【０２２４】
同様にして、左フレーム２０Ａの前端部３１及び後端部３２に設けられた溝４１についても、３個以上設けるようにしてもよい。
【０２２５】
さらに、第２の実施の形態についても同様であり、左フレーム６１及び右フレームの前端部６２及び後端部６５に設けられた溝６６を、２個ではなく３個以上設けるようにしてもよい。
【０２２６】
［３−３．他の実施の形態３］
さらに、上述した第１の実施の形態では、両サイドガイド２２、２３に、内側溝４１Ａ及び外側溝４１を設け、左フレーム２０Ａ及び右フレーム２０Ｂに、これら内側溝４１Ａ及び外側溝４１と嵌合する上側突起４０Ｂを設けるようにした。
【０２２７】
これに限らず、左フレーム２０Ａ及び右フレーム２０Ｂに、内側溝４１Ａ及び外側溝４１を設け、両サイドガイド２２、２３に、これら内側溝４１Ａ及び外側溝４１と嵌合する上側突起４０Ｂを設けるようにしてもよい。
【０２２８】
［３−４．他の実施の形態４］
さらに、上述した第１の実施の形態では、両サイドガイド２２、２３の位置を変更することで、両サイドガイド２２、２３の間隔を調整するようにした。
【０２２９】
これに限らず、例えば、両サイドガイド２２、２３のうちの例えば左サイドガイド２２のみを、位置の変更が可能なサイドガイドとし、左サイドガイド２２の位置のみを変更することで、両サイドガイド２２、２３の間隔を調整するなどしてもよい。
【０２３０】
［３−５．他の実施の形態５］
さらに、上述した第１及び第２の実施の形態では、弾性変形可能な係合部の具体的な例として、アーム４３及び６３を用いるようにしたが、これらと同様に機能するものであれば、これらアーム４３及び６３とは異なる構成のものを係合部として用いるようにしてもよい。
【０２３１】
さらに、上述した第１の実施の形態では、左フレーム２０Ａ及び右フレーム２０Ｂと係合することで両サイドガイド２２、２３の左右方向の位置を固定する第１の係合部の具体的な例として、内側溝４１Ａ及び外側溝４１を用いるようにしたが、これらと同様に機能するものであれば、内側溝４１Ａ及び外側溝４１とは異なる構成のものを第１の係合部として用いるようにしてもよい。
【０２３２】
さらに、上述した第１の実施の形態では、左フレーム２０Ａ及び右フレーム２０Ｂと係合することでこれらと両サイドガイド２２、２３との係合を維持する第２の係合部の具体的な例として、アーム４３を用いるようにしたが、同様に機能するものであれば、アーム４３とは異なる構成のものを第２の係合部として用いるようにしてもよい。
【０２３３】
さらに、上述した第１の実施の形態では、媒体を押圧する媒体プレス部の具体的な例として、ビルプレス２４を用いるようにしたが、同様に機能するものであれば、ビルプレス２４とは異なる構成のものを媒体プレス部として用いるようにしてもよい。
【０２３４】
さらに、上述した第１の実施の形態では、一端側のガイド及び他端側のガイドの具体的な例として、左サイドガイド２２及び右サイドガイド２３を用いるようにしたが、これに限らず、これらと同様に機能するものであれば、これら左サイドガイド２２及び右サイドガイド２３とは異なる構成のものを一端側のガイド及び他端側のガイドとして用いるようにしてもよい。
【０２３５】
［３−６．他の実施の形態６］
さらに、上述した第１の実施の形態では、ビルプレス２４の幅を調整するための機構として、ビルプレス２４の左側面２４Ａ及び右側面２４Ｂから突出すると共に突出量を調整可能な幅調整部５０を用いるようにした。
【０２３６】
これに限らず、ビルプレス２４の幅を調整できる機構であれば、幅調整部５０とは異なる機構を用いるようにしてもよい。
【０２３７】
［３−７．他の実施の形態７］
さらに、上述した実施の形態では、本発明を、職員が操作する職員操作型端末としての紙幣処理装置１に適用したが、本発明は、これに限らず、入金部３のように、媒体を収容する収容部（収容部３Ｂ）とガイド（サイドガイド２２、２３）を有する装置であれば、例えば、ＡＴＭなど、種々の装置に適用することができる。
【０２３８】
また、上述した実施の形態では、本発明を、紙幣を扱う紙幣処理装置１に適用したが、これに限らず、紙、切符など、紙幣以外の媒体を処理する媒体処理装置であっても、入金部３と同様に機能する機構を有する媒体処理装置であれば、適用することができる。
【０２３９】
［３−８．他の実施の形態８］
さらに、本発明は、上述した実施の形態と、上述した他の実施の形態とに限定されるものではない。すなわち本発明は、上述した実施の形態と上述した他の実施の形態の一部または全部を任意に組み合わせた実施の形態や、一部を抽出した実施の形態にもその適用範囲が及ぶものである。
【産業上の利用可能性】
【０２４０】
本発明は、紙幣を扱う紙幣処理装置などの装置で広く利用することができる。
【符号の説明】
【０２４１】
１、２００……紙幣処理装置、３……入金部、３Ｂ……収容部、２０……ベースフレーム、２０Ａ、６１……左フレーム、２０Ｂ……右フレーム、２２、６０、２０６Ａ……左サイドガイド、２３、２０６Ｂ……右サイドガイド、２４、２０５……ビルプレス、４１Ａ、４１Ｂ、６６Ａ、６６Ｂ、２０８Ａ、２０８Ｂ……溝、４３、６４……アーム、５０……幅調整部。
【図１】
2014115879.tif 000003
【図２】
2014115879.tif 000004
【図３】
2014115879.tif 000005
【図４】
2014115879.tif 000006
【図５】
2014115879.tif 000007
【図６】
2014115879.tif 000008
【図７】
2014115879.tif 000009
【図８】
2014115879.tif 000010
【図９】
2014115879.tif 000011
【図１０】
2014115879.tif 000012
【図１１】
2014115879.tif 000013
【図１２】
2014115879.tif 000014
【図１３】
2014115879.tif 000015
【図１４】
2014115879.tif 000016
【図１５】
2014115879.tif 000017
【図１６】
2014115879.tif 000018
【図１７】
2014115879.tif 000019
【図１８】
2014115879.tif 000020
【図１９】
2014115879.tif 000021
【図２０】
2014115879.tif 000022
【図２１】
2014115879.tif 000023